(57)【要約】【課題】響線を取外した後において再び取付ける際に張力調整を必要とせず、響線のドラムへの取付け・取外し作業を容易にすることができるスネアドラムを提供する。【解決手段】ガットを保持するフレーム６と、フレーム６を下側ヘッド４の表面に着脱可能に取付けるためのフレーム取付け機構１０とを有したスネアドラム１において、フレーム６の両端にスイッチ側接続軸６５、固定側接続軸６８を設け、フレーム取付け機構１０にこの両軸６５，６８と相互に掛止可能な形状の被掛止部材１２２，１３４とを設ける。これにより、両軸６５，６８を被掛止部材１２２，１３４に掛止させるという簡単な操作のみにより、フレーム６の下側ヘッド面への取付け・取外しを行うことができる。【選択図】      図２
2005331922.tif 000002
【特許請求の範囲】
【請求項１】
上側ヘッド及び下側ヘッドが設けられた胴体部と、複数の響線を保持するフレームと、当該フレームを前記下側ヘッドの表面に着脱可能に取付けるためのフレーム取付け機構とを有したスネアドラムにおいて、
前記フレーム取付け機構は前記胴体部に設けられ、
前記フレームの両端には、掛止部材を有する係合部がそれぞれ設けられ、
前記フレーム取付け機構には、前記フレームの各係合部と個別に対応し、その係合部に設けられた掛止部材と相互に掛止可能な被掛止部材を有する被係合部が設けられることを特徴とするスネアドラム。
【請求項２】
前記各係合部の掛止部材は少なくとも一方の係合部の掛止部材が軸状に形成された係止軸であって、当該係止軸と被掛止部材とが掛止した状態では、前記フレームは前記係止軸を中心として前記下側ヘッドの表面に対して接近・離間する方向に回動可能とされることを特徴とする請求項１に記載のスネアドラム。
【請求項３】
前記各被係合部のうち少なくとも一方の被係合部は、
前記被掛止部材を回動可能に支持する操作軸と、
前記被掛止部材を前記掛止部材に掛止可能な掛止方向へ付勢する付勢手段と、
当該付勢手段の付勢力に抗して前記被掛止部材を前記掛止部材から離脱させる離脱方向へ操作可能な操作部とを有することを特徴とする請求項１又は請求項２に記載のスネアドラム。
【請求項４】
前記フレームは、
当該フレームの一方の端部に設けられ、前記各響線の張力を個別に調節するための個別調節機構と、
当該フレームの他方の端部に設けられ、全ての響線の張力を一括して調節するための一括調節機構とを有することを特徴とする請求項１乃至請求項３のいずれか１項に記載のスネアドラム。
【請求項５】
前記フレームは当該フレームの両端部に前記響線を個別に収容するための響線支持体を有し、
当該響線支持体は、
開口部を有する複数の嵌め込み溝と、
前記響線の端部を係止する係止部とを有し、前記響線を前記開口部から前記嵌め込み溝に嵌め込んだ状態で前記響線の端部を前記係止部により係止することを特徴とする請求項１乃至請求項４のいずれか１項に記載のスネアドラム。
【請求項６】
前記フレームは、前記個別調節機構と一括調節機構との間に、前記下側ヘッドの表面に前記各響線を均等に当接させるように各響線の位置を揃えるための調整部材を有することを特徴とする請求項５に記載のスネアドラム。
【請求項７】
前記フレームには前記響線の共振を抑制するための消音手段が設けられていることを特徴とする請求項１乃至請求項６のいずれか１項に記載のスネアドラム。
【請求項８】
前記消音手段は、前記フレームの長手方向に沿って摺動可能に当該フレームに設置されていることを特徴とする請求項７に記載のスネアドラム。
【請求項９】
前記消音手段は、
消音時に前記響線を押圧する消音パッドと、
当該消音パッドの高さ位置を調節する調節機構とを有することを特徴とする請求項７又は請求項８に記載のスネアドラム。
【請求項１０】
前記フレーム取付け機構は、
前記被係合部の被掛止部材と前記フレームの係合部の掛止部材とが掛止された状態において、前記響線が前記下側ヘッドの表面に当接する当接位置と、前記響線が前記下側ヘッドの表面から離間する離間位置とされる離間状態とに、前記フレームを変位可能な切替え装置を有していることを特徴とする請求項１乃至請求項９のいずれか１項に記載のスネアドラム。
【請求項１１】
前記スネアドラムは、
前記胴体部の外周に設けられる複数のテンションパイプと、
前記胴体部の外周に配置され、前記各テンションパイプをそれらの下端にて連結する下側リング部材と、
当該下側リング部材よりも上方において前記胴体部の外周に配置され、前記各テンションパイプをそれらの上端にて連結する上側リング部材とを有し、
前記フレーム取付け機構は、前記胴体部から離間した状態で、前記上側リング部材と下側リング部材を介して前記胴体部に支持されていることを特徴とする請求項１乃至請求項１０のいずれか１項に記載のスネアドラム。
【請求項１２】
前記フレーム取付け機構は、少なくとも前記操作部の周囲を覆うカバーを有することを特徴とする請求項３に記載のスネアドラム。
【発明の詳細な説明】
【技術分野】
【０００１】
本発明は、スネアドラムに係り、詳しくは響線がフレームに保持されたタイプのスネアドラムに関する。
【背景技術】
【０００２】
下側ヘッドの表面（下側ヘッド面ともいう）に響線としての複数のガットを有するスネアドラムが知られている（特許文献１参照）。図１９は従来例１のガット部（複数のガット及び両端の金具を含む。）２１１を示す斜視図であり、図２０はそのガット部２１１が取付けられたスネアドラム２００を下側から見た図である。図１９に示すように、ガット部２１１は、響線としての複数のガット２０１と、各ガット２０１の右端を一括して保持する右側金具２０２、及び各ガット２０１の左端を一括して保持する左側金具２０３を有しており、左側金具２０３の左側面にはねじ孔（図示略）が形成されている。そして、図２０に示すように、従来のスネアドラム２００では、それぞれの金具２０２，２０３が、ドラムの下側フープ２０４に設けられた右側接続部２０５及び左側接続部２０６に挿入された状態で固定されるようになっている。
【０００３】
すなわち、右側接続部２０５には、左側金具２０３及び各ガット２０１を左右方向への通過自在とする開口部２０５ａが形成され、その開口部２０５ａ内には、右側金具２０２が開口部２０５ａ内に右側から挿入された場合に、その右側金具２０２に係止する係止部（図示略）が形成されている。そのため、右側接続部２０５の開口部２０５ａを左側金具２０３及び各ガット２０１が右側から左側へ通過した後に、その開口部２０５ａ内に右側から挿入された右側金具２０２は、係止部が係止することにより開口部２０５ａ内に保持される。一方、左側接続部２０６には、その右側面に左側金具２０３を挿入可能な挿入穴２０６ａが形成され、この挿入穴２０６ａの内底面にはボルト２０７の軸部を挿通可能なボルト孔（図示略）が形成されている。そして、左側接続部２０６の挿入穴２０６ａ内に左側金具２０３を挿入した状態で、その左側金具２０３のねじ孔に対し左側接続部２０６の左側面からボルト孔に挿入されたボルト２０７が螺合することにより、左側金具２０３と左側接続部２０６とが固定されるようになっている。また、左側接続部２０６は、ドラムの下側フープ２０４から浮き上がるように離間した位置と下側フープ２０４に接近した位置との間を移動自在に配置されており、その離間した位置から接近した位置に左側接続部２０６を移動させてガット２０１を下側ヘッド２０９の表面へ接近させるためのスイッチ２１０が、左側接続部２０６に連結されている。
【０００４】
このスネアドラム２００でガット部２１１を取り外す場合には、まずボルト２０７を緩めて左側金具２０３を左側接続部２０６から右方向へ抜き出す。そして、右側金具２０２を右側接続部２０５から右方向へ抜き出し、併せて左側金具２０３も右側接続部２０５から抜き出して取り外すようにしていた。逆に、ガット部２１１を取付ける場合には、まず左側金具２０３を右側接続部２０５の開口部２０５ａに右側から左方向へ挿通した後に、その左側金具２０３を左側接続部２０６の挿入穴２０６ａ内に挿入する。このとき、右側金具２０２は、右側接続部２０５の開口部２０５ａ内に係止保持される。そして、ボルト２０７を締めることにより、左側金具２０３を左側接続部２０６に固定する。これに伴い右側金具２０２は右側接続部２０５にて固定される。以上のようにしてガット部２１１をスネアドラム２００に取付けていた。
【０００５】
一方、従来例２として、ガットをフレームで保持して、そのフレームを紐でドラムに支持するように構成したものもある（特許文献２参照）。この構成のスネアドラムでガット部（複数のガットとフレームとを含む。）を取外す場合には、紐を緩めることによりフレームごとドラムから取外すようにしていた。
【特許文献１】米国特許第１８３２２２７号明細書（請求項１、図１）
【特許文献２】米国特許第３１１３４８１号明細書（請求項１、図１）
【発明の開示】
【発明が解決しようとする課題】
【０００６】
ところで、ガット部の取外し・取付けは、例えば下側ヘッドや個々の響線の交換の際等に必要となる。しかしながら、従来例１及び従来例２では、そうしたガット部の取り外し・取付けを行う都度に、上記の作業を行わなければならず、その作業自体が煩雑で面倒であるという問題が指摘されていた。
【０００７】
また、上記従来例１の構成ではガット部２１１を一旦取り外すと、ガット２０１の張力がゼロになりガット部２１１の取外し前の調整済みの張力を維持することができないため、取付け後に再度の張力調整が必要であった。つまり、取外し・取付けの都度、張力調整を繰り返し行わなければならず、非効率的で面倒であった。さらに、左側接続部２０６のボルト２０７による締結は、ガット２０１に対する張力の付与作用と、左側金具２０３の左側接続部２０６に対する固定作用とを伴うため、ガット２０１の張力がスイッチ２１０やドラム２００の胴体部に直接かかっていた。このため、スイッチ２１０の操作が重くなる、胴体部が変形する等の問題も生じていた。
【０００８】
また、ガット部２１１を取外した際に各ガット２０１が離散しないように、ガット部２１１においては各ガット２０１を両端の金具２０２，２０３に一括して固定している。よって、ガット２０１を個々に交換することはできなかった。また、通常、ガット２０１の本数は１０〜１４本程度であるが、４〜８本と少なくして使用する際には余分なガット２０１を切断して外すより他に方法がなく、また、切断してしまうと元の本数に戻すことができなかった。
【０００９】
また、上記従来例２の構成では、ガットがフレームで保持されているため、スネアドラムからガット部を取外してもガットの張力は維持される。この点で従来例２は従来例１と異なるが、フレーム自体を紐でドラムに固定するため、紐の正確な位置調整が困難であり、取外し前と取付け後でガット部の微妙な位置ずれが生じやすいという問題があった。また、特にマーチング用のスネアドラムの場合、使用時には上下左右の揺動が激しいために紐が切れてしまうという問題もあった。
【００１０】
本発明の目的は、響線を取外した後において再び取付ける際に張力調整を必要とせず、響線のドラムへの取付け・取外し作業を容易にすることができるスネアドラムを提供することにある。併せて、ガットを個々に交換することができるスネアドラムを提供することも目的とする。
【課題を解決するための手段】
【００１１】
上記目的を達成するため、請求項１に係るスネアドラムは、上側ヘッド及び下側ヘッドが設けられた胴体部と、複数の響線を保持するフレームと、当該フレームを前記下側ヘッドの表面に着脱可能に取付けるためのフレーム取付け機構とを有したスネアドラムにおいて、前記フレーム取付け機構は前記胴体部に設けられ、前記フレームの両端には、掛止部材を有する係合部がそれぞれ設けられ、前記フレーム取付け機構には、前記フレームの各係合部と個別に対応し、その係合部に設けられた掛止部材と相互に掛止可能な被掛止部材を有する被係合部が設けられることを要旨とする。
【００１２】
請求項２に係るスネアドラムは、請求項１に記載のスネアドラムにおいて、前記各係合部の掛止部材は少なくとも一方の係合部の掛止部材が軸状に形成された係止軸であって、当該係止軸と被掛止部材とが掛止した状態では、前記フレームは前記係止軸を中心として前記下側ヘッドの表面に対して接近・離間する方向に回動可能とされることを要旨とする。
【００１３】
請求項３に係るスネアドラムは、請求項１又は請求項２に記載のスネアドラムにおいて、前記各被係合部のうち少なくとも一方の被係合部は、前記被掛止部材を回動可能に支持する操作軸と、前記被掛止部材を前記掛止部材に掛止可能な掛止方向へ付勢する付勢手段と、当該付勢手段の付勢力に抗して前記被掛止部材を前記掛止部材から離脱させる離脱方向へ操作可能な操作部とを有することを要旨とする。
【００１４】
請求項４に係るスネアドラムは、請求項１乃至請求項３のいずれか１項に記載のスネアドラムにおいて、前記フレームは、当該フレームの一方の端部に設けられ、前記各響線の張力を個別に調節するための個別調節機構と、当該フレームの他方の端部に設けられ、全ての響線の張力を一括して調節するための一括調節機構とを有することを要旨とする。
【００１５】
請求項５に係るスネアドラムは、請求項１乃至請求項４のいずれか１項に記載のスネアドラムにおいて、前記フレームは当該フレームの両端部に前記響線を個別に収容するための響線支持体を有し、当該響線支持体は、開口部を有する複数の嵌め込み溝と、前記響線の端部を係止する係止部とを有し、前記響線を前記開口部から前記嵌め込み溝に嵌め込んだ状態で前記響線の端部を前記係止部により係止することを要旨とする。
【００１６】
請求項６に係るスネアドラムは、請求項５に記載のスネアドラムにおいて、前記フレームは、前記個別調節機構と一括調節機構との間に、前記下側ヘッドの表面に前記各響線を均等に当接させるように各響線の位置を揃えるための調整部材を有することを要旨とする。
【００１７】
請求項７に係るスネアドラムは、請求項１乃至請求項６のいずれか１項に記載のスネアドラムにおいて、前記フレームには前記響線の共振を抑制するための消音手段が設けられていることを要旨とする。
【００１８】
請求項８に係るスネアドラムは、請求項７に記載のスネアドラムにおいて、前記消音手段は、前記フレームの長手方向に沿って摺動可能に当該フレームに設置されていることを要旨とする。
【００１９】
請求項９に係るスネアドラムは、請求項７又は請求項８に記載のスネアドラムにおいて、前記消音手段は、消音時に前記響線を押圧する消音パッドと、当該消音パッドの高さ位置を調節する調節機構とを有することを要旨とする。
【００２０】
請求項１０に係るスネアドラムは、請求項１乃至請求項９のいずれか１項に記載のスネアドラムにおいて、前記フレーム取付け機構は、前記被係合部の被掛止部材と前記フレームの係合部の掛止部材とが掛止された状態において、前記響線が前記下側ヘッドの表面に当接する当接位置と、前記響線が前記下側ヘッドの表面から離間する離間位置とされる離間状態とに、前記フレームを変位可能な切替え装置を有していることを要旨とする。
【００２１】
請求項１１に係るスネアドラムは、請求項１乃至請求項１０のいずれか１項に記載のスネアドラムにおいて、前記スネアドラムは、前記胴体部の外周に設けられる複数のテンションパイプと、前記胴体部の外周に配置され、前記各テンションパイプをそれらの下端にて連結する下側リング部材と、当該下側リング部材よりも上方において前記胴体部の外周に配置され、前記各テンションパイプをそれらの上端にて連結する上側リング部材とを有し、前記フレーム取付け機構は、前記胴体部から離間した状態で、前記上側リング部材と下側リング部材を介して前記胴体部に支持されていることを特徴とする。
【００２２】
請求項１２に係るスネアドラムは、請求項３に記載のスネアドラムにおいて、前記フレーム取付け機構は、少なくとも前記操作部の周囲を覆うカバーを有することを要旨とする。
【発明の効果】
【００２３】
本発明によれば、響線を取外した後において再び取付ける際に張力調整を必要とせず、響線のドラムへの取付け・取外し作業を容易にすることができる。
【発明を実施するための最良の形態】
【００２４】
以下、本発明のスネアドラムを具体化した一実施形態を図１〜図１８にしたがって説明する。
図１は、本実施形態におけるマーチング用のスネアドラムを斜め下方から見た全体斜視図であり、図２は、そのスネアドラムの正面図であり、図３は、そのスネアドラムを下面から見た図である。なお、以下の説明において図２における右側を右、上側を上として説明する。
【００２５】
図１及び図２に示すように、スネアドラム（以下、単に「ドラム」ともいう。）１は上下両端が開放された円筒状の胴体部２を備え、円盤形状の上側ヘッド３（図２参照）、下側ヘッド４が胴体部２の両端開放面を塞ぐようにそれぞれ設けられている。胴体部２の外周には、上側ヘッド３及び下側ヘッド４の張りを調整するためのヘッド調整装置５が上側フープ２３と下側フープ２５とを連結するように等角度間隔をおいて複数個（本実施形態では１２個）設けられている。
【００２６】
下側ヘッド４には、フレーム６に保持された複数のガット（響線）７が下側ヘッド４を直径方向に横切る形態で設けられている。また、図１、図３に示すように、このフレーム６には、ガット７の演奏時の共振を調整するための消音装置８が左右に１つずつ設けられている。
【００２７】
さらに、図２に示すように、胴体部２の外側面には、胴体部２に対してフレーム６を取付け・取外しするためのフレーム取付け機構１０が設けられている。このフレーム取付け機構１０は、スイッチ側取付け機構１１（図２右側）と固定側取付け機構１２（図２左側）とで構成され、これらの取付け機構１１，１２が下側ヘッド４の中心に対して１８０度対称となる二位置に設けられている。スイッチ側取付け機構１１は、フレーム６の胴体部２に対する相対位置を切替える切替え装置１３を有しており、この切替え装置１３は上下に揺動可能なレバー状のスイッチ１４により操作されるようになっている。すなわち、このスイッチ１４が操作されることにより、スイッチ側取付け機構１１のスイッチ切替え装置１３は、フレーム６を、ガット７が下側ヘッド４面に当接した当接位置と、ガット７が下側ヘッド面から離間した離間位置とに切替える。
【００２８】
また、胴体部２の下部には、胴体部２の下部周囲を覆うリング部材１６が胴体部２の周囲から僅かに離間して設けられている。具体的な設置構造については後に詳述する。さらに、４本の脚部１７がそのリング部材（下側リング部材）１６を介して左右対称位置にそれぞれ設けられている（図３参照）。
【００２９】
図４は、スネアドラム１を、後方から見た全体斜視図である。図４に示すように、胴体部２の後部には、スネアドラム１をマーチングスネアとして使用する際にキャリアー１８を取付けるためのキャリアー取付部１９が複数のねじ１９ａにより固定されている。
【００３０】
次に、主にヘッド調整装置５、本発明の要部構成であるフレーム６及び消音装置８さらにフレーム取付け機構１０の各部の詳細な構成について、順に説明する。
（ヘッド調整装置５）
図５は、図２のＡ−Ａ線断面図であって、主にヘッド調整装置５の構成を示す図である。図５に示すように、胴体部２の上部には、胴体部２の外周に嵌合される環状の補強リング（上側リング部材）２１が設けられる。この補強リング２１のさらに外側には、同じく胴体部２の外周に嵌合される環状の上側ヘッド枠２２が設けられており、上側ヘッド３はその外周縁をこの上側ヘッド枠２２によって保持されている。上側ヘッド枠２２のさらに外側には、同じく胴体部２の外周に嵌合される環状の上側フープ２３が設けられている。同様に、下側ヘッド４はその外周縁を、胴体部２の外周に嵌合される環状の下側ヘッド枠２４によって保持されており、下側ヘッド枠２４のさらに外側には、同じく胴体部２の外周に嵌合される環状の下側フープ２５が設けられている。
【００３１】
一方、ヘッド調整装置５には、中空筒状のテンションパイプ２０と、そのテンションパイプ２０と上側フープ２３とを連結する上側テンションボルト２６、テンションパイプ２０と下側フープ２５とを連結する下側テンションボルト２７が設けられている。テンションパイプ２０は、補強リング２１とリング部材１６との間に位置している。
【００３２】
さらに、テンションパイプ２０と上側テンションボルト２６とは上側テンションナット２８を介して連結され、テンションパイプ２０と下側テンションボルト２７とは下側テンションナット２９を介して連結されている。上側テンションナット２８はテンションパイプ２０の上部に挿入されており、上側テンションナット２８のさらに上側から挿入される上側テンションボルト２６と螺合している。下側テンションナット２９はテンションパイプ２０の下部に挿入されており、下側テンションナット２９のさらに下側から挿入される下側テンションボルト２７と螺合している。ここで、上側テンションナット２８の胴部２８ａの上面と補強リング２１の下面とが当接しており、下側テンションナット２９の胴部２９ａの上面（図５の設置状態における上面を指す。）とリング部材１６の下面とが当接している。
【００３３】
また、上側テンションボルト２６の回転操作部としての頭部２６ａと上側フープ２３との間には、メタルワッシャー３０及びブラスワッシャー３１が挿入されている。同様に、下側テンションボルト２７の回転操作部としての頭部２７ａと下側フープ２５との間には、メタルワッシャー３２及びブラスワッシャー３３が挿入されている。さらに、下側テンションボルト２７の略中間部であって、下側テンションナット２９と下側フープ２５との略中間部には、下側テンションボルトの脱落防止用ゴム３４が設けられている。
【００３４】
図５に示すように、リング部材１６には、その上側に上側脚受けプレート３５が設けられ、下側には下側脚受けプレート３６が設けられている。下側脚受けプレート３６の下側には脚部１７が設けられている。これらの上側脚受けプレート３５、リング部材１６、下側脚受けプレート３６及び脚部１７は、上側脚受けプレート３５の上方から挿入されるねじ３７によって、脚部１７が接地面に対して垂直となるように固定されている。また、脚部１７の下端には、樹脂製のキャップ３８が取付けられている。
【００３５】
（フレーム６）
次に、フレーム６の構成について詳細に説明する。フレーム６は、平面視長四角環状をなすように形成されており（図３、図１０参照）、フレーム６の四辺を構成する右側部６ａ、左側部６ｂ、前側部６ｃ、後側部６ｄで囲まれた領域内に複数のガット７が保持されている。また、図６及び図９に示すように、フレーム６は、その左右両端部の下面（具体的には、前側部６ｃ及び後側部６ｄの各両端部の下面）が外側上方から内側下方に向けて斜状に面取りされている。
【００３６】
図６は、フレーム６を上下方向に反転して示す斜視図であり、個々のガット７の保持構成等について分かりやすくするため、同図において手前側となるフレームの一部（後側部６ｄの部分）を削除して示してある。フレーム６における上下左右方向は図面に示す通りである（図７、図８も同様である。）。図６に示すように、フレーム６の一端（図６では右端）には一括調節機構３９が設けられており、フレーム６の他端（図６では左端）には個別調節機構４０が設けられている。
【００３７】
一括調節機構３９には、下部に複数（本実施形態では１１個）の嵌め込み溝４１を有するガット一括調節体４２と、操作部としての一括調節ボルト５１が設けられている。嵌め込み溝４１は、前後方向に並列して形成されている。また、一括調節ボルト５１は複数（本実施形態では１１本）のガット７の張力を一括して調節するものであって、フレーム６における右側部６ａの略中心部及びガット一括調節体４２の略中心部を左右方向へ貫通した状態でフレーム６の右側部６ａに支持されている。なお、一括調節ボルト５１には緩み止めゴム５８（図９参照）が装着されている。
【００３８】
個別調節機構４０には、嵌め込み溝４３を有する複数個（本実施形態では５つ）のガット第１個別調節体４４、嵌め込み溝４５を有する複数個（本実施形態では６つ）のガット第２個別調節体４６、及び複数個（本実施形態では６つ）のねじ５５，５６が設けられている。操作部としてのねじ５５，５６は、個々のガット７の張力を個別に調節するものであって、フレーム６の左側部６ｂ並びに各ねじ５５，５６が各々対応するガット第１個別調節体４４及びガット第２個別調節体４６を左右方向へ貫通した状態でフレーム６の左側部６ｂに支持されている。なお、各ねじ５５，５６には緩み止めゴム５９（図９参照）が装着されている。また、嵌め込み溝４１，４３，４５には、上方に開口した開口部４１ａ，４３ａ，４５ａが形成されている。
【００３９】
図７は、ガット第１個別調節体４４の斜視図である。図７に示すように、ガット第１個別調節体４４は、ねじ孔４７が左右方向に貫通形成された直方体形状の基台４８と、Ｕ字形状の嵌め込み溝４３を有して基台４８の下部に設けられる溝形成部４９と、基台４８から下方へ延設されて基台４８と溝形成部４９とを連結する延長部５０とで構成されている。また、溝形成部４９は、延長部５０の下面における左右方向の一端部（図７では右端部）寄りに設けられている。
【００４０】
図８は、ガット第２個別調節体４６の斜視図である。図８に示すように、ガット第２個別調節体４６は、ねじ孔５２が左右方向に貫通形成された直方体形状の基台５３と、Ｕ字形状の嵌め込み溝４５を有して基台５３の下部に設けられる溝形成部５４とで構成されている。ガット第１個別調節体４４と比較してガット第２個別調節体４６は、その基台５３に延長部５０が設けられておらず、基台５３の大きさはガット第１個別調節体４４の基台４８よりも小さく構成されている。そして、ガット第１個別調節体４４及びガット第２個別調節体４６をフレーム６へ取付ける時には、ガット第２個別調節体４６の基台５３がガット第１個別調節体４４の基台４８の延長部５０が形成されていない部分に設置される。すなわち、ガット第１個別調節体４４の嵌め込み溝４３とガット第２個別調節体４６の嵌め込み溝４５とが同一高さ位置となり、かつ、各嵌め込み溝４３，４５が前後方向へ交互に隣接するように設置される（図６参照）。よって、本実施形態では、一括調節機構３９側及び個別調節機構４０側の双方において、嵌め込み溝が１１個ずつフレーム６の前後方向に並列して形成される。
【００４１】
なお、図７におけるガット第１個別調節体４４のねじ孔４７には個々のガットの張力を調整する操作部としてのねじ５５（図６参照）が挿入され、図８におけるガット第２個別調節体４６のねじ孔５２には同じく個々のガットの張力を調整する操作部としてのねじ５６が挿入される。
【００４２】
また、図６に示すように、各ガット７は、それらの一端側（右端側）をガット一括調節体４２の嵌め込み溝４１に嵌め込まれ、それらの他端側（左端側）をガット第１個別調節体４４の嵌め込み溝４３又はガット第２個別調節体４６の嵌め込み溝４５に嵌め込まれている。そして、各ガット７は、それらの各両端部に筒状金具５７がカシメられた状態でフレーム６に保持されている。
【００４３】
各筒状金具５７は、各々が対応する嵌め込み溝４１，４３，４５に設けられた当接部６０（図９参照）にそれぞれ当接し、また、溝形成部４９，５４の端部（図７、図８では左端部）に突出形成された凸部７１に係止している。このため、ガット７は下方へ脱落しないようになっている。なお、当接部６０が本発明の係止部に相当し、ガット一括調節体４２とガット第１個別調節体４４及びガット第２個別調節体４６がそれぞれ響線支持体に相当する。
【００４４】
図９は、フレーム６の側断面図である。図９に示すように、ガット一括調節体４２は、フレーム６との係合により回動が規制されており、そのガット一括調節体４２に一括調節ボルト５１は螺合しているため、一括調節ボルト５１を時計方向に回すとその回動に伴いガット一括調節体４２がフレーム６内で右方向へ移動する。これに伴い、ガット一括調節体４２に固定された全てのガット７が右方向（胴体部２の半径外方向）への力を受けてガットが張られる方向に調節される（すなわち、各ガット７に対する張力が増加する。）。一括調節ボルト５１を反時計方向に回すと、上記とは逆の作用によって全てのガット７はガットが緩む方向に調節される（すなわち、各ガット７に対する張力が減少する。）。
【００４５】
また、ガット第１個別調節体４４は、フレーム６との係合により回動が規制されており、そのガット第１個別調節体４４にねじ５５は螺合しているため、一括調節ボルト５１の場合と同様に、ねじ５５を時計方向に回すとその回動に伴いガット第１個別調節体４４がフレーム６内で左方向へ移動する。これに伴い、ガット第１個別調節体４４に固定された１本のガット７が左方向（胴体部２の半径外方向）への力を受けてガットが張られる方向に調節される（すなわち、そのガット７に対する張力が増加する。）。ねじ５５を反時計方向に回すと、上記とは逆の作用によってガット７はガットが緩む方向に調節される（すなわち、そのガット７に対する張力が減少する。）。以上の作用は、ねじ５６とガット第２個別調節体４６についても同様であるため、その詳しい説明は省略する。
【００４６】
なお、ガット７は、個別調節機構４０においてそれぞれのガット７に対応するねじ５５，５６を緩めた状態で、両端の筒状金具５７を一旦外側へ引っ張って当接部６０から離間させた後、ガット７を嵌め込み溝４１，４３，４５の開口部４１ａ，４３ａ，４５ａから上方へ引き上げるようにすれば、簡単にフレーム６から取外すことができる。
【００４７】
図１０は、フレーム６の平面図である。図１０に示すように、フレーム６の右端には、フレーム取付け機構１０（図２参照）に係合するためのスイッチ側係合部６１が設けられる一方、フレーム６の右端には固定側係合部６２が設けられている。スイッチ側係合部６１は、前後に１つずつ設けられる軸受け部６３，６４と、両軸受け部６３，６４に両端を支持された掛止部材としてのスイッチ側接続軸６５とから構成されている。固定側係合部６２も同様に、前後に１つずつ設けられる軸受け部６６，６７と、両軸受け部６６，６７に両端を支持された掛止部材としての固定側接続軸６８（係止軸）とから構成されている。
【００４８】
図１１は、フレーム６を下側から見た図である。図９〜図１１に示すように、フレーム６の右側部６ａの内側にはガット押え軸６９が設けられ、同様にフレーム６の左側部６ｂの内側にはガット押え軸７０が設けられている。これらのガット押え軸６９，７０は、ガット７と直交するように前後方向に延び、前側部６ｃと後側部６ｄを貫通する形態で設けられている。図９に示すように、これらのガット押え軸６９，７０は、ガット７が下側ヘッド４の表面に均等に当接されるように、各ガットの高さを調整する調整部材として機能する。
【００４９】
（消音装置８）
図１２は、図１１におけるＢ−Ｂ線断面図であり、図１３は図１２におけるＣ−Ｃ線断面図であって、両図とも消音装置８の構成を説明するための図である。図１３に示すように、消音装置８は、フレーム６の前側部６ｃと後側部６ｄとに架橋されるスライド部材８２、薄い直方体形状の消音プレート８３、消音フェルト８４、消音操作ねじ８５、及びスライド操作ねじ８６を有している。スライド部材８２は、側断面視略Ｕ字形状であって、前側部の内面には凸部８７が突出形成されている。この凸部８７はフレーム６の前側部６ｃに形成された溝部８８と係合するようになっている。一方、スライド部材８２の後側部９０の内面はフレーム６の後側部６ｄから僅かに後方へ離間した状態に配置される。そして、そのスライド部材８２の後側部９０にスライド操作ねじ８６が後側から貫通状態に支持されて、スライド操作ねじ８６の前端がフレーム６の後側部６ｄに形成された溝部８９に当接することにより、消音装置８はフレーム６に固定されるようになっている。また、スライド部材８２の後側部９０の上面には孔９１が陥没形成されており、その孔９１にはスライド操作ねじ８６の緩み防止ゴム９２が設けられている。
【００５０】
よって、スライド操作ねじ８６を締めたり緩めたりすることによって、スライド操作ねじ８６の前端をフレーム６と当接させたり離間させたりできるため、離間した状態では消音装置８はフレーム６の長手方向に沿って摺動可能となっている。
【００５１】
一方、消音フェルト８４は消音プレート８３に接着されており、スライド部材８２と消音プレート８３を貫通する消音操作ねじ８５によって、消音プレート８３はスライド部材８２と一体化されている。また、スライド部材８２の底面には、消音操作ねじ８５の緩み防止用のゴム９３が貼付されている。
【００５２】
そして、消音操作ねじ８５を締めたり緩めたりすることによって、消音プレート８３を上下動させて消音フェルト８４をガット７に対して当接させたり離間させたりすることができる。これにより、消音フェルト８４をガット７に当接させてガット７の共振を抑制できるようになっている。
【００５３】
（フレーム取付け機構１０）
次に、フレーム取付け機構１０について、フレーム取付け機構１０を構成するスイッチ側取付け機構１１、固定側取付け機構１２の順に以下説明する。
【００５４】
スイッチ側取付け機構１１は、フレーム６のスイッチ側接続軸６５を有するスイッチ側係合部６１と連結され、フレーム６を胴体部２に取付けるための機構である。図２に示すように、スイッチ側取付け機構１１は、垂設された基台プレート１０１を介して胴体部２と所定距離離間して設けられている。基台プレート１０１は、その上部を補強リング２１に固定部材１０２を介してねじ（図示略）によって固定されており、同様に下部をリング部材１６に固定部材１０３を介してねじ（図示略）によって固定されている。
【００５５】
図１４、図１５は、フレーム取付け機構１０を説明するための断面図である。なお、図１４は、スイッチ１４が揺動可能な範囲のうち最下端の位置にある状態を示し、図１５は、スイッチ１４が揺動可能な範囲のうち最上端の位置にある状態を示している。さらに、図１６は、図１５におけるＤ−Ｄ断面図である。以下、図１４〜図１６及び図２の各図を参照して説明する。図１４、１５に示すように、基台プレート１０１には平断面コ字形状のブラケット１０４が、その中間部分となる取付部１０４ａの背面を基台プレート１０１に当接させた状態で、２つのねじ１０５，１０６によって固定されている。従って、基台プレート１０１と、この基台プレート１０１に固定されたブラケット１０４は、スイッチ１４の操作によっても移動することはない。
【００５６】
そのブラケット１０４の近傍には、平断面コ字形状のスライド部材１０７が、その中間部分となる中間部１０７ａを基台プレート１０１との間に一定間隔をおいて対向させた状態で、ブラケット１０４を覆うようにして設けられている。なお、スライド部材１０７の中間部１０７ａには後に詳述するスイッチ１４のストッパーとしてのストッパーゴム１４２（図１５参照）が取り付けられている。
【００５７】
図１７は、スライド部材１０７の正面図である。図１７に示すように、このスライド部材１０７の左右両側面には、その上部及び下部に２つの長孔１０８、１０９が上下方向に延びるように形成されている。一方、図１６に示すように、ブラケット１０４の左右両側面には長孔９４が上下方向に延びるように形成されている。そして、軸１１０が、スライド部材１０７の左右の長孔１０８及びブラケット１０４の左右の長孔９４に挿入されている。軸１１０の端部にはリンク１１４の上端部がねじにより連結されている。このとき、軸１１０の断面形状は略正方形に形成されているため（図１７参照）、軸１１０は長孔９４に対して回転しないように構成されている。また、リンク１１４は、軸１１０に対して前記ねじの軸部を支点として回動可能に支持されている。なお、軸１１０の上面にはクリックゴム９５が取り付けられている。
【００５８】
また、スライド部材１０７の長孔１０９には軸１１１が挿入され、その軸１１１の端部は長孔１０９の外側に位置するブラケット１０４の下部１１２を貫通している。軸１１１の端部には、スイッチ１４がネジにより相対回動可能に連結されている。なお、軸１１１の外周部には、ブッシュ９６が設けられ、そのブッシュ９６はブラケット１０４の下部１１２とスライド部材１０７の長孔１０９の周辺とに当接している。
【００５９】
そして、前述したレバー状をなすスイッチ１４の基端部から先端側に所定距離離間した位置には、リンク１１４の下端部が回動可能に連結されている。前述のように、リンク１１４の上端部は軸１１０の端部に対して回動可能に連結されている。したがって、スイッチ１４を揺動させると、リンクとしてのスイッチ１４の動きがリンク１１４を介して軸１１０へ伝達されて、軸１１０はブラケット１０４の長孔９４に沿って上下にスライドするスライダクランク機構として機能する。そして、軸１１０のスライドに伴い、軸１１０と微調節ボルト１２６を介して連結されたスライド部材１０７は、長孔１０９の上下方向長さの範囲内で軸１１１をガイドにしてブラケット１０４に対して独立して上下にスライドするようになっている。
【００６０】
さらに、スライド部材１０７の下端部には湾曲したアーム１１５が連結され、アーム１１５の下端には操作軸１１６がその両端を突出させた状態で挿通支持されている。
一方、図１５に示すように、ドラムの下側脚受けプレート３６の下面には、軸孔を有する連結アーム取付け部１１８が下方に向けて設けられており、その軸孔には軸１１９が挿入されている。その軸１１９には平面視コ字形状（すなわち、先端が二股状）に形成された連結アーム１２０の基端が回動可能に連結され、連結アーム１２０は、その先端１２１（図１４では右端）がアーム１１５の下端を両側から挟持するように配置される。連結アーム１２０の先端１２１及びアーム１１５の下端にはそれぞれ軸孔が形成されており、それらの各軸孔に連結アーム１２０とアーム１１５とを回動可能に連結する操作軸１１６が挿入されている。
【００６１】
さらに、操作軸１１６には、下端がフック形状の被掛止部材１２２が設けられている。図１８は、被掛止部材１２２の斜視図である。図１４及び図１８に示すように、被掛止部材１２２は、その先端部１２３にフレーム６のスイッチ側接続軸６５（図１０参照）が掛止されるようになっている。また、被掛止部材１２２は、その側面部が被掛止部材１２２を指で操作する際の操作部１２４となっている。被掛止部材１２２とフレーム６との掛止等の具体的な態様については後に作用とともに詳述する。
【００６２】
また、この被掛止部材１２２を図１４における反時計方向へ回動付勢する付勢手段としてのスプリング１２５が、その一端を連結アーム１２０に係止させると共に、その他端を被掛止部材１２２に係止させるようにして、操作軸１１６に巻き付けられている。そして、このスプリング１２５によって、被掛止部材１２２は胴体部２の半径外方向へ常に付勢されるようになっている。また、被掛止部材１２２は、被掛止部材１２２の切り欠き部１４０が連結アーム１２０の先端１２１（図１５右端）に突出形成されたストッパー１４１に当接する位置で、前述した反時計方向への回動が止まるようになっている。なお、操作部１２４（図１８参照）を有する被掛止部材１２２、操作軸１１６、及びスプリング１２５とでスイッチ側の被係合部１２８が構成されている。
【００６３】
また、スイッチ側取付け機構１１は、ガット７が下側ヘッド４の表面に当接する場合のフレーム６の位置を微調節するための微調節ボルト１２６を備えており、その微調節ボルト１２６は、操作部としての頭部１２６ａがブラケット１０４の上方に位置するように設けられている。より詳しくは、胴体部２の外周面と略平行に位置するスライド部材１０７の中間部１０７ａ内にはボルト支持部材１２７が２つのねじ１２９，１３０によって固定されており、微調節ボルト１２６は、そのボルト支持部材１２７と前記軸１１０を貫通するように設けられている。また、図１６に示すように、微調節ボルト１２６には、軸１１０の下面に係合するようにしてＥリング１１７が設けられており、このＥリング１１７と微調節ボルト１２６の段差との間に軸１１０が挟持された状態で微調節ボルト１２６に連結されている。従って、微調節ボルト１２６は軸１１０に対して回転可能とされた状態で、ボルト支持部材１２７に螺合されている。よって、微調節ボルト１２６を回転させることにより、微調節ボルト１２６とボルト支持部材１２７との螺合量（すなわち、微調節ボルト１２６及び軸１１０のボルト支持部材１２７に対する高さ位置）が調節され、軸１１０に対してスライド部材１０７の高さ位置の調節をすることができるようになっている。例えば、微調節ボルト１２６を時計方向に回転させて、微調節ボルト１２６とボルト支持部材１２７との螺合量を増加するように調節すれば、スライド部材１０７は、その回転量に応じて上昇し、それに伴い被掛止部材１２２も上昇してフレーム６を上側へ押し上げる。
【００６４】
このとき、軸１１０に対してスライド部材１０７の相対的な位置が変位するが、軸１１０に対して、長孔１０８の上下にマージンが設けられているため、このマージンの範囲でスライド部材１０７に対して軸１１０の相対的な位置が変位できる（図１７参照）。
【００６５】
次に、固定側取付け機構１２について説明する。固定側取付け機構１２は、フレーム６の固定側接続軸６８を有する係合部６２と連結し、フレーム６を胴体部２に取付けるための機構である。図１４に示すように、下側脚受けプレート３６の下面には、断面Ｌ字形状の接合部材１３２が設けられ、この接合部材１３２には側方に延びる先端部１３３が断面Ｃ字形状の被掛止部材１３４（被係合部）が設けられている。そして、この接合部材１３２の先端部１３３に前述したフレーム６の固定側接続軸６８が掛止されるようになっている。接合部材１３２とフレーム６との掛止等の具体的な態様については後に作用とともに詳述する。
【００６６】
そして、固定側取付け機構１２は、前述のスイッチ側取付け機構１１における微調節ボルト１２６と同様に、ガット７が下側ヘッド４の表面に当接する場合のフレーム６の位置を微調整するための微調節ボルト１３５を備えている。微調節ボルト１３５は、上側脚受けプレート３５及び下側脚受けプレート３６を貫通し、被掛止部材１３４に螺合されている。また、微調節ボルト１３５と上側脚受けプレート３５との間にはスリーブ１３６が設けられ、さらに、下側脚受けプレート３６よりも下側に位置する微調節ボルト１３５の外周部分には調整ばね１３７が設けられている。これにより、微調節ボルト１３５を回転させることにより、微調節ボルト１３５と被掛止部材１３４との螺合量が調節され、被掛止部材１３４と下側脚受けプレート３６との間の僅かな距離を微調整できるようになっている。その詳しい作用は微調節ボルト１２６と同様であるため省略する。
【００６７】
また、スイッチ側取付け機構１１及び固定側取付け機構１２には、カバー１３８，１３９が、それぞれの被掛止部材１２２，１３４を覆うようにして設けられている。なお、カバー１３８は、被掛止部材１２２の操作部１２４周辺を覆うようになっており、不用意に操作部１２４が押されて被掛止部材１２２とスイッチ側接続軸６５との掛止が解除されないようになっている。
【００６８】
次に、以上のように構成されたドラム１におけるフレーム６の下側ヘッド４の表面への取付け・取外し方法、及びその動作・作用について、以下説明する。
まず、フレーム６を下側ヘッド４の表面へ取付ける場合について図１４を用いて説明する。まず、図１４に示すようにスイッチ１４が揺動可能な最下端位置にある状態で、フレーム６の固定側接続軸６８を、固定側取付け機構１２の被掛止部材１３４の先端部１３３へ掛止する。この状態では、フレーム６は固定側接続軸６８を中心として下側ヘッド４の表面に対して接近・離間する方向に回動可能とされる。また、ガット７は、下側ヘッド４の表面から離間した離間状態となっている。そして、この状態で、フレーム６のスイッチ側接続軸６５がスイッチ側取付け機構１１の被掛止部材１２２に接近するようにフレーム６を下側ヘッド４へ接近させる。そして、スイッチ側接続軸６５を被掛止部材１２２の先端部１２３へ掛止させる。この時、被掛止部材１２２は、スプリング１２５によって操作軸１１６を中心に回動付勢されているため、先端部１２３の外側（図１４右側）からスイッチ側接続軸６５を先端部１２３に当接させると、被掛止部材１２２はスプリング１２５の付勢力に抗して内側（図１４では時計方向）へ僅かに回動する。その後、スイッチ側接続軸６５が先端部１２３に嵌り込むと、スプリング１２５の付勢力によって自動的にスイッチ側接続軸６５と先端部１２３とが掛止してロックされるようになっている。
【００６９】
なお、この段階では、フレーム６はドラム１に固定されてはいるものの、ガット７は下側ヘッド４の表面から離間した状態のままである。ドラム１の演奏時に、ガット７の共振を利用しない場合にはこの状態で演奏され、この状態をスイッチオフの状態とする。
【００７０】
次に、この状態からスイッチ１４を上方へ持ち上げるよう操作する。すると、回動するスイッチ１４に連結されたリンク１１４が、そのリンク１１４の上端に連結された軸１１０を上方へ押し上げる方向へ移動する。そして、その上方への動作が軸１１０と連結したスライド部材１０７へと伝達され、スライド部材１０７は上昇する。スライド部材１０７の上昇に伴い、スライド部材１０７の下端で連結されたアーム１１５、アーム１１５の下端で連結された連結アーム１２０及び操作軸１１６を介して最終的に被掛止部材１２２が上昇する。被掛止部材１２２が上昇することにより、フレーム６が下側ヘッド４の表面に接近して当接状態となる。
【００７１】
また、スイッチ１４とリンク１１４とで構成されるリンク機構の連結点Ｐ（図１５参照）が軸１１０と軸１１１の両中心点を通る仮想線上のデッドポイントを超えて胴体部２側へ移動することで、フレーム６を下側ヘッド４の表面に押し当てる力の反力（スライド部材１０７を下方に引っ張る力）が変化する。すなわち、スイッチ１４を反時計回り（図１４、図１５）の方向へ回転する力に変わる。そして、スイッチ１４はスライド部材１０７に取り付けられたストッパーゴム１４２（図１５参照）に当たり、フレーム６が下側ヘッド４の表面に当接した位置でロックされる。
【００７２】
また、ロックする力をより大きくするため、デッドポイントを超えた位置でより大きな下向きの力がスライド部材１０７にかかるように、軸１１０の上面にクリックゴム９５（図１６参照）が設けられている。よって、このクリックゴム９５がブラケット１０４の長孔９４内でつぶされることによって生ずる反力が、軸１１０（連結されたスライド部材１０７）を下方に押し下げる力となり、ロックする力が大きくなる。
【００７３】
なお、ドラム１の演奏時に、ガット７の共振を利用する場合にはこの状態で演奏され、この状態をスイッチオンの状態とする。
このように、フレーム６の両端に設けられたスイッチ側接続軸６５と固定側接続軸６８を、この両軸６５，６８と相互に掛止可能な形状の被掛止部材１２２，１３４に掛止させるという簡単な操作により、フレーム６の両端の各係合部６１，６２をフレーム取付け機構１０に係合させることができる。つまり、まずフレーム６の固定側の一端を引っ掛けて、次にスイッチ側の一端を引っ掛けるというワンタッチの操作にて、面倒な取付け操作を経ずにフレーム６を下側ヘッド４の表面に容易に取付けることができる。
【００７４】
フレーム６を下側ヘッド４の表面から取外す場合には、スイッチ１４を下方へ操作して図１４に示すスイッチオフの状態とし、被掛止部材１２２の操作部１２４を胴体部２側へ指で押してやる。すると、被掛止部材１２２は操作軸１１６を中心として胴体部２側へ回動して、被掛止部材１２２の先端部１２３はスイッチ側接続軸６５と離間するため、被掛止部材１２２とスイッチ側接続軸６５との掛止が解除される。その後、固定側接続軸６８を固定側の被掛止部材１３４の先端部１３３から胴体部２の半径外方向へ抜き出すようにすれば、被掛止部材１３４と固定側接続軸６８との掛止が解除される。なお、上記では、スイッチオフの状態で取付け・取外しを行うものとして説明したが、スイッチオン・スイッチオフいずれの状態でも操作可能である。
【００７５】
以上ように、フレーム６を取外す際にも、操作部１２４を押してまずフレーム６におけるスイッチ側取付け機構１１側の一端を取外し、次いで固定側取付け機構１２側の一端を取外すという非常に簡単な操作のみによってフレーム６を下側ヘッド４の表面から取外すことができる。すなわち、上記構成によれば、フレーム６の下側ヘッド４の表面への取付け・取外しがともにワンタッチで行うことができ、面倒な係合操作が一切必要でない。
【００７６】
上記実施形態によれば、以下のような効果を得ることができる。
（１）上記実施形態では、フレーム６の両端にスイッチ側接続軸６５、固定側接続軸６８を設け、フレーム取付け機構１０にこの両軸６５，６８と相互に掛止可能な形状の被掛止部材１２２，１３４とを設ける。そして、両軸６５，６８を被掛止部材１２２，１３４に掛止させるという操作により、フレーム６の両端の各係合部６１，６２をフレーム取付け機構１０の被係合部（被掛止部材１２８、１３４でもある。）に簡単に係合させることができる。フレーム６の取付け・取外しをワンタッチ操作で行うことができ、作業を簡易化することができる。
【００７７】
（２）また、フレーム取付け機構１０に係合するために設けられた掛止部材（スイッチ側接続軸６５、固定側接続軸６８）を軸状に形成したため、フレーム取付け機構１０側の被掛止部材１２２，１３４に対して引っ掛ける、又は嵌め込むという簡易な構成にてワンタッチ操作を実現することができる。
【００７８】
（３）上記実施形態のスイッチ側取付け機構１１は、補強リング２１とリング部材１６の間に垂設された基台プレート１０１に設けられており、胴体部２と所定距離離間するようになっている。このため、スイッチ操作時やフレーム６の取付け時に発生する負荷が、スイッチ側取付け機構１１から直接に胴体部２にかかることがない。よって、胴体部２が変形したり、その変形に伴い音色に影響を与えるといったことがない。
【００７９】
（４）上記実施形態では、スイッチ側取付け機構１１の被掛止部材１２２はスプリング１２５によって常に胴体部２の半径外方向へ付勢されるようになっている。このため、このスイッチ側接続軸６５を被掛止部材１２２にスプリング１２５の付勢力に抗して当接させることにより、自動的に互いに掛止する構成とすることができる。
【００８０】
（５）上記実施形態では、ガット７はフレーム６に保持されており、ガット７の張力調節のための一括調節機構３９と個別調節機構４０とはドラム１の胴体部２からは完全に独立してフレーム６に対して設けられている。このため、フレーム６の取外しの前後におけるガット７の張力が維持されるため、フレーム６を取外して再び取付けた後の再度の張力調整を不要とすることができる。
【００８１】
（６）また、ガット７の張力はフレーム６で受けるため、ドラム１の胴体部２やスイッチ１４にガット７の張力が作用しないため、スイッチ操作が重くなったり、胴体部２が変形したり音色が変化したりする問題を回避することができる。
【００８２】
（７）上記実施形態では、被掛止部材１２２は、図１８に示すようにそのフック形状の先端部１２３が２つ形成されており、２箇所にてスイッチ側接続軸６５の両端と掛止するようになっている。このため、１箇所で固定するよりも安定してスイッチ側接続軸６５と被掛止部材１２２とを掛止させることができる。
【００８３】
（８）上記実施形態では、ガット７は、嵌め込み溝４１，４３，４５に嵌め込まれ、両端の筒状金具５７は、嵌め込み溝４１，４３，４５に設けられた当接部６０（図９参照）にそれぞれ当接し、溝形成部４９，５４の端部（図７、図８左端部）に突出形成された凸部７１にて係止している。すなわち、個々のガット７の両端がそれぞれ独立して各嵌め込み溝４１，４３，４５の開口部４１ａ，４３ａ，４５ａから嵌め込まれる形態で設けられている。このため、個々のガット７の着脱を容易に実現することができる。特に、ガットの本数を少なくして使用したり、また元の本数に戻して使用したりといった使用態様が可能となる。
【００８４】
（９）上記実施形態では、フレーム６に２つの消音装置８が設けられているため、ガット７の共振を演奏の都度容易に調整することができる。また、消音装置８は、消音操作ねじ８５の締め具合によって消音フェルト８４のガット７への圧接の程度を調節できるため、共振の程度を各演奏者の好みに応じて調整することができる。さらに、スライド操作ねじ８６を緩めることによって、消音装置８はフレーム６の長手方向に沿って摺動可能であるため、位置を調節して演奏者の所望の音色に簡単に調整することができる。
【００８５】
（１０）上記実施形態では、フレーム６の右側部６ａ、左側部６ｂの内側にそれぞれガット押え軸６９，７０（図１０参照）が設けられているため、複数のガット７の高さを調整してヘッド面に均等に当接されるようにすることができる。
【００８６】
（１１）上記実施形態では、カバー１３８が被掛止部材１２２の操作部１２４周辺を覆っているため、不用意に被掛止部材１２２とスイッチ側接続軸６５との掛止が解除されてフレーム６が外れないようになっている。
【００８７】
（１２）上記実施形態では、スイッチ１４を含む切替え装置１３は、補強リング２１とリング部材１６に垂設された基台プレート１０１に設けられている。この構成により、スイッチ１４をドラム１のなるべく上の位置に設けることができ、マーチングの場合にスイッチ１４に手が届いて操作のしやすいドラムとすることができる。
【００８８】
なお、上記実施形態は以下のように変更してもよい。
・上記実施形態では、フレーム６を取付ける際には、自動的にスイッチ側接続軸６５と被掛止部材１２２の先端部１２３とが掛止してロックされるように構成したが、取外し時と同様に、被掛止部材１２２の操作部１２４を指で押して、先端部１２３とスイッチ側接続軸６５とを離間させた状態から手動で掛止させて取付けるようにしてもよい。
【００８９】
・上記実施形態では、フレーム６に保持される響線はガットとしたが、これに代えて、金属製の響線やコイルスプリング等の響線として構成してもよい。
・上記実施形態では、フレーム６の両端に設けられる掛止部材（スイッチ側接続軸６５、固定側接続軸６８）と、掛止部材と掛止する被掛止部材１２２，１３４の形状は、軸形状やフック形状等に限定されるものではない。要は、掛止部材と被掛止部材とが、相互に掛止可能な形状を有していればよく、双方をフック形状に形成したり、掛止部材をフック形状、被掛止部材を軸形状に形成する等種々の変形が可能である。
【００９０】
・また、上記実施形態における被掛止部材１２２はフック形状の先端部１２３を２つ設け、スイッチ側接続軸６５を２箇所で引っかけるように構成されているが、先端部１２３は１つでもよく、また、その他、被掛止部材１３４と同様に断面Ｃ字形状としてスイッチ側接続軸６５を嵌め合わせられるように構成してもよい。
【００９１】
・上記実施形態におけるカバー１３８，１３９はなくてもよい。
【図面の簡単な説明】
【００９２】
【図１】本実施形態のスネアドラムを斜め下方から見た全体斜視図。
【図２】スネアドラムの正面図。
【図３】スネアドラムを下面から見た図。
【図４】スネアドラムを、後方から見た全体斜視図。
【図５】図２のＡ−Ａ線断面図であって、主にヘッド調整装置の構成を示す図。
【図６】フレームの斜視図。
【図７】ガット第１個別調節体の斜視図。
【図８】ガット第２個別調節体の斜視図。
【図９】フレームの側断面図。
【図１０】フレームの平面図。
【図１１】フレームを下から見た図。
【図１２】図１１におけるＢ−Ｂ線断面図であって、消音装置の構成を説明するための図。
【図１３】図１２におけるＣ−Ｃ線断面図であって、消音装置の構成を説明するための図。
【図１４】フレーム取付け機構を説明するための断面図であって、スイッチが最下端の位置にある状態を示す図。
【図１５】フレーム取付け機構を説明するための断面図であって、スイッチが最上端の位置にある状態を示す図。
【図１６】図１５におけるＤ−Ｄ断面図。
【図１７】スライド部材の正面図。
【図１８】スイッチ側取付け機構の被掛止部材の斜視図。
【図１９】従来例１のガット部の斜視図。
【図２０】従来例１のスネアドラムを下面から見た図。
【符号の説明】
【００９３】
１…スネアドラム、２…胴体部、３…上側ヘッド、４…下側ヘッド、５…ヘッド調節機構、６…フレーム、７…ガット（響線）、８…消音装置（消音手段）、１０…フレーム取付け機構、１１…スイッチ側取付け機構（フレーム取付け機構）、１２…固定側取付け機構（フレーム取付け機構）、１３…切替え装置、１４…スイッチ、１６…リング部材（下側リング部材）、１７…脚部、２０…テンションパイプ、２１…補強リング、２５…下側フープ、３９…一括調節機構、４０…個別調節機構、４１，４３，４５…嵌め込み溝、４１ａ，４３ａ，４５ａ…開口部、４２…ガット一括調節体（響線支持体）、４４…ガット第１個別調節体（響線支持体）、４６…ガット第２個別調節体（響線支持体）、６０…当接部（係止部）、６１…スイッチ側係合部（係合部）、６２…固定側係合部（係合部）、６５…スイッチ側接続軸（掛止部材）、６８…固定側接続軸（掛止部材）、６９，７０…ガット押え軸、１１６…操作軸、１２２…被掛止部材、１２４…操作部、１２５…スプリング（付勢手段）、１２８…スイッチ側被係合部（被係合部）、１３４…被掛止部材（固定側被係合部、被係合部）、１３８，１３９…カバー。
【図１】
2005331922.tif 000003
【図２】
2005331922.tif 000004
【図３】
2005331922.tif 000005
【図４】
2005331922.tif 000006
【図５】
2005331922.tif 000007
【図６】
2005331922.tif 000008
【図７】
2005331922.tif 000009
【図８】
2005331922.tif 000010
【図９】
2005331922.tif 000011
【図１０】
2005331922.tif 000012
【図１１】
2005331922.tif 000013
【図１２】
2005331922.tif 000014
【図１３】
2005331922.tif 000015
【図１４】
2005331922.tif 000016
【図１５】
2005331922.tif 000017
【図１６】
2005331922.tif 000018
【図１７】
2005331922.tif 000019
【図１８】
2005331922.tif 000020
【図１９】
2005331922.tif 000021
【図２０】
2005331922.tif 000022